【手続補正書】
【提出日】平成16年9月17日(2004.9.17)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】            明細書
【発明の名称】  つまずき転倒予防用具付き履き物
【特許請求の範囲】
【請求項１】
（イ）金属棒等、種々の素材を支柱状（２）に成形加工して装具様のものを作成し、履き物の靴底部に穴を通して差し入れ蝶番仕様にしたり、木ネジ等で取り付ける。これに、金属板やプラスチック等を加工したパッド（１）状のものを支柱に取り付けたり、支柱本体を下腿に適合するように折り曲げるなどしたものを、装着ベルト（５）等で固定して、足関節を背屈位に保持する牽引張力の起点を設ける
（ロ）この張力の起点部と履き物に設けた連結紐や靴紐穴等を、弾性ゴム等、種々の紐や引きバネ等の連結体（３）で連結する。
（ハ）又は、図３のように連結体の代わりに捻りバネ（７）を取り付けたり、図４のように支柱本体を捻りバネ加工（８）を加え、足関節を背屈位に保持する反発力とする。以上の構成よりなる、歩行運動補助装具を取り付けた履き物全般。
【０００１】
【発明の属する技術分野】
本発明は、下肢麻痺の人のつまづき転倒を防止し、運動時の足の運びを良くして、又、足関節捻挫の発生を起き難くする履物、及び、その加工法に関するものである。
【０００２】
【従来の技術】
従来、脳血管障害等で尖足位麻痺を呈した人のつまずき転倒に対処するものとして、実開平６−９６３２号広報の「歩行補助ベルト」があるが、下腿に装着の本体ベルトに連結体を取り付け張力の起点としており、運動には張力の耐性不足の為、使用目的が脳血管障害の後遺症対策中の、緩やかな歩行補助に限定していた。又、履き物への連結位置がつま先近傍と漠然としており、拇趾寄りに装着するとかえって足関節の内反を誘発し、ジャンプ系の競技には不向き等、機能性と活用範囲に著しい相違があった。その他の固定具等の用具は足関節の底背屈運動が制限される欠点があり、介護用品としての歩行補助的な域に留まっていた。
つまり、これら従来の物は、その機能に運動に参加、あるいはその能力向上を兼ね備えておらず、使用目的が限定的で、スムーズな運動が阻害される、張力の起点としての安定力が不足等の欠点があった。
足関節捻挫防止としては、テーピングやサポーターが有ったが、テーピングは熟練の技能が必要、皮膚を痛める、又、サポーターは弾性の布のみで作成したものは固定力不足、又、プラスチック板を組み合わせたものは個体により不具合が起きやすい等の欠点があった。
スリッパやサンダルを脱げ難くする方法としては踵に紐を掛けるスポーツサンダル等があったが、これらには足関節の背屈機能は含まれていなかった。
【０００３】
【考案が解決しようとする課題】
（イ）従来の尖足位麻痺対処の歩行用具で、足関節を固定する下腿装具は、早い動きや複雑な運動を困難にし、又、上記のような従来の布やゴム製の製品は固定安定度不足、張力方向の調節不備の為、運動用としては普及し得ず、ましては、スポーツ競技用用具としての、又、足関節捻挫防止兼備の、更にはスリッパやサンダル等踵部分の無い履物を脱げにくくする発想がなかった。
本発明は、これらの欠点を除き、尖足位麻痺の人の室外室内での歩行中に、正確安定した背屈力を足関節に伝え、スリッパ等がずれたり、脱げるのを起き難くし、つまずき転倒を防止する。更には、これらの人の運動参加支援と足関節捻挫予防機能を追兼備した新方式の装具を取り付けた履き物の提供の為になされたものである。
【０００４】
【課題を解決するための手段】
金属棒等、種々の素材を支柱状（２）に成形加工して装具様のものを作成し、履き物の靴底部に穴を通して差し入れ蝶番仕様にしたり、木ネジ等で取り付ける。これに、金属板やプラスチック等を加工したパッド（１）状のものを支柱に取り付けたり、支柱本体を下腿に適合するように折り曲げるなどしたものを、装着ベルト（５）等で固定して、足関節を背屈位に保持する牽引張力の起点を設ける。あるいは、競技の種類により支柱が障害になる場合は、パッドのみをベルト等で強固に装着して起点とする。
この張力の起点部と履き物の尖部小趾よりに取り付けた連結紐（４）や靴紐穴等を、弾性ゴム等、種々の紐や引きバネ等の連結体（３）で連結する。又は、図３のように連結体の代わりに捻りバネ（７）を取り付けたり、図４のように支柱本体を捻りバネ加工（８）を加え、足関節を背屈位に保持する反発力とする。
これを脳血管障害や腰の椎間板ヘルニア、脊柱管狭窄症、高齢等の原因で足関節が下垂マヒし、つまづいたり、スリッパが抜けやすい人の室内外の歩行や運動中に、又、足関節の捻挫癖のある人や、一般競技者の競技中に使用させる。
【０００５】
【作用】
金属支柱が上下のずれを防ぎ、強固に装着されたパッドが激しい運動に耐え得る張力の起点となって、連結体の張力が履き物に伝わり足関節を安定的に背屈位に保つ。更には、下肢麻痺の人にはずれて履きにくいサンダル等、踵部分ない履物に対しては支柱に固定することで、あるいは、捻りばねの反発力が取り付けベルトを介して下腿後面を前方に押すように作用して脱げにくくする。つまり、歩行時に爪先が上がらずにつまずいて、又は、履物がずれて転びやすい尖足位麻痺の人の室内外での転倒に起因する怪我を予防する。又、障害者や高齢者のウオーキングやゴルフ等運動参加を容易にし、バスケットボールやバレーボールなどでジャンプの踏み込み行う際に、自然に足関節が上がり、一連の動作が行い易くなる、あるいは、疲労した時でもフットワーク時に足がもつれ難い等、競技能力が向上するように作用する。
足関節捻挫に対しては、ジャンプ着地での足関節が内返を起き難くしてこれを予防する。
これらの作用に関しては、支柱を取り外した仕様での試使用の結果、成人が長時間のバレーボールプレーでもずれることなく踏み込みアタック動作が通常より円滑に行え、上記麻痺の患者へのモニターでは、歩くスピードが向上し安心感を覚える
事等が確認された。
【０００６】
【実施例】
以下本発明の実施例について説明する
（イ）丈夫な金属等（２）を成形して、外出用靴、スリッパ等の室内履き、ゴルフ、テニス等の各種スポーツシューズ等々の靴底に蝶番仕様等で取り付け、心棒と支柱骨組とする。これにすね当てパッド様のものを（１）取り付けるなどして、装着ベルト（５）で強固に装着し、足関節背屈の張力の起点とする。
又、競技の種類により支柱が怪我を引き起こす等障害となる場合は、すね当てパッドのみを直接ベルトで巻き付けるなどして固定装着して起点とする。これに、弾力性に富み丈夫なゴムバンドや引きバネ、紐等の連結体（３）等を取り付け、その一端を、種々の履き物に設けた連結紐（４）や、靴紐の穴に個々の状態に合わせて連結する。
（ロ）又、下肢麻痺の人にとって脱げ易いサンダルやスリッパ等に、図３，４のように連結体の変わりに捻りバネを取り付けたり、支柱本体に捻りバネ加工を施す。
（ニ）これを、脳血管障害や腰の椎間板ヘルニアなどで足関節が底屈位麻痺の為、つまずいて転倒し易い人に、室内外の歩行中やゴルフ等の運動時に使用させる。
更には、踏み込みジャンプ等を行う競技に運動能力向上を、又は、足関節捻挫の発生や再発防止目的に使用させる。
本発明は以上のような構造であるから、着脱が容易で激しい運動中にもずれず、底屈位麻痺の人のつまずき転倒防止、運動参加支援、一般競技者の運動能力向上、怪我防止の補助となる。
つまり、日常生活で頻発する高齢者や障害者の転倒に起因する寝たきりを予防し、運動参加の機会を与え、各競技者に新しい運動能力向上用具を、更には、足関節捻挫予防法の新技法を提供するもので、産業上の発展が期待できる
尚、以上のような構造の物は、踵の後方からプラスチック等を成形して下腿の後側に支柱様にして張力の起点としたり、又、パッドと支柱を簡単な着脱式にして、用途に応じて支柱を除いてパッドのみを起点とする等、仕様を変えて、更には、ブーツや靴の皮革内に内蔵して見た目をよくし、一見して介護用品と感じさせない。あるいは、金属支柱のしなりを増す為のバネ加工を加える、図３．４仕様の場合、底が柔らかくて背屈力が伝達しない時に金属板で補強する等の種々の変化応用が可能である。
【０００７】
【考案の効果】
着脱が簡単で激しい動きでもずれ難く、脳血管障害や座骨神経障害による尖足位麻痺の為運動が困難な人のつまずき転倒や起き難くして、運動への参加を支援する。又、競技によってはジャンプ力が向上、スムーズな体重移動が可能など運動能力の向上、足関節捻挫を起き難くして怪我からの早期の復帰が望める。
更には、これらの障害者や高齢者がスリッパ等の室内履きが簡単に履けて、ずれや脱げる現象を防ぎ、かつ、爪先が上がり夜間のトイレ等、室内歩行中の転倒を防止する。
【図面の簡単な説明】
【図１】
靴底に穴を設け両側から支柱を立て支点とした仕様の外側からの斜視図である
【図２】
支柱を一本にして、支柱とパッドの取り外しを簡単にして、仕様を変えて使用できるタイプの外側からの斜視図である
【図３】
連結体の変わりに捻りバネを取り付けたスリッパ仕様の側面図である。
【図４】
金属支柱本体に捻りバネ加工を加え、上部をバックル様にしたサンダル仕様の外側からの斜視図である
【符号の説明】
１    すね当てパッド
２    金属支柱
３    連結体
４    連結紐
５    装着ベルト
６    取り付けボルト
７    捻りバネ
８    捻りバネ加工金属支柱




【手続補正２】
【補正対象書類名】手続補正書
【補正対象項目名】手続補正２
【補正方法】追加
【補正の内容】
【手続補正２】
【補正対象書類名】図面
【補正対象項目名】全図
【補正方法】変更
【補正の内容】
【図１】
2004057787.tif 000001
【図２】
2004057787.tif 000002
【図３】
2004057787.tif 000003
【図４】
2004057787.tif 000004